(57)【要約】      （修正有）【課題】携帯電話の出し入れや収納がだれでも簡単で且つ的確に行え、所持の確認を何時でも簡単にできる衣類を提供する。【解決手段】ズボン等に、短いベルトを取り付け、ウエストベルト装着タイプ携帯電話収納ケースのベルト通しを利用してズボン等に装着するようにしたものである。専用のベルトを付けることにより、ウエストベルトを利用しない人でも携帯収納ケースを装着することができる。またウエストベルトを利用する人はウエストベルトの取り外し時も携帯電話が邪魔にならない。立ったり座ったりするときの腰の曲げ伸ばしに邪魔にならない。携帯電話ケースをベルトで固定しているため無くしたり、落としたりすることも少なくなり、いつでも、どこでも簡単に所持の確認ができ、所持忘れ防止にも役立つ。【選択図】図５
0003161255.tif 000002
【実用新案登録請求の範囲】
【請求項１】
携帯品の収納ケースを装着する、短い携帯品装着用ベルトを取り付けた衣類。
【請求項２】
ウエスト周囲より短い開閉式の携帯品装着用ベルトの両端を衣類に接合し、携帯収納ケースのベルト通し穴に、開閉式ベルトを開いて通し、留め具で止めて固定して、携帯ケース等を装着するようにした衣類。
【請求項３】
ウエスト周囲より短い閉鎖式の携帯品装着用ベルトの両端を衣類に接合し、携帯収納ケースの開閉式ベルト装着部材を開いて、閉鎖式ベルトの隙間に通して携帯ケース等を装着するようにした衣類。
【考案の詳細な説明】
【技術分野】
【０００１】
本考案は、携帯電話収納ケース、デジカメケースなどズボン等のウエストベルトを利用して取り付けるタイプの収納ケースを、ウエストベルトを利用しないで装着するために、専用の装着用ベルトを取り付けた衣類に関するものである。
【背景技術】
【０００２】
現在行われている方法は、ウエストベルトに携帯電話ケースを取り付けるようになったものがほとんどである。しかしウエストベルトを必ず使用する人ばかりではなく、ウエストベルトに装着した場合、ベルトを外すときや、立ちすわりのとき邪魔になる。
【考案の概要】
【考案が解決しようとする課題】
【０００３】
携帯電話は所持する際、取り出しや、収納を簡便で迅速且つ的確に行えることや、置き忘れ防止のため、所持確認を簡単にできることが必要である。
【課題を解決するための手段】
【０００４】
本考案は、バッグなどを持ち歩かなくても常に携帯電話を所持できるようになったウエストベルト取り付けタイプの携帯電話ケースを利用するもので、ズボンにウエストベルトとは別に携帯ケース装着用の短いベルトを取り付け、携帯電話ケースを装着することができるようにしたものである。
【考案の効果】
【０００５】
上述のとおり本考案の携帯品装着用ベルト付き衣類のズボンは、ウエストベルト装着タイプの携帯収納ケースを、専用のベルトを使ってズボンに取り付けるため、携帯電話等、無くしにくい。常に手の届くところなので所持の確認がとりやすく、携帯電話忘れ防止に役立つ。ウエストベルトを利用しない人や、ベルトレスのズボンの場合でも、ベルト通しのついた携帯電話収納ケースを利用できる。ウエストベルトに取り付けないため、立ったり座ったりするときや、ウエストベルトをはずすときも邪魔にならない。携帯電話収納ケースを外した時も、スタイル的におかしくないデザインとなっている。
【図面の簡単な説明】
【０００６】
【図１】本考案の携帯品装着用ベルト付きズボン-開閉式ベルト仕様の正面図の一部である。
【図２】図1の開閉式ベルト仕様に装着可能な携帯電話収納ケースの一例の正面図、側面図、背面図である。
【図３】本考案の携帯品装着用ベルト付きズボン-閉鎖式ベルト仕様の正面図の一部である。
【図４】図3の閉鎖式ベルト仕様に装着可能な携帯電話収納ケースの一例の正面図、側面図、背面図である。
【図５】図1の開閉式ベルト仕様に装着時のズボンの正面図である。
【図６】図3の閉鎖式ベルト仕様に装着時のズボンの正面図である。
【図７】本考案の携帯品装着用ベルトをズボンの背面ポケットの上部に取り付けた例である。
【考案を実施するための形態】
【０００７】
図1、図3、図5、図6、図7は本考案に係るズボンの説明図である。図1はウエストベルト位置8又は、その下部の位置に、携帯電話収納ケースを取り付けるための、専用の開閉式装着用ベルト1を付けたものである。その特徴とするところは、携帯電話収納ケース４のベルト通しの穴を通すための短い分割できる開閉式のベルト1の両端を、ズボン前面の、8又はその下部位置に接合してズボンに取り付けるものである。開閉自在のベルト1を、携帯電話収納ケース図2のベルト通し7の穴に通して利用する。図3はウエストベルト位置8又はその下部位置に、携帯電話収納ケースを取り付けるための、分割できない閉鎖式ベルト2の両端をズボン前面の位置に接合してズボンに取り付けた例である。その特徴とするところは、図3の2のベルトの10の隙間に図4の開閉式ベルト通し6を通して利用する。図5は、本考案の開閉ベルト１に携帯電話収納ケースを取り付けたものである。図6は、本考案の閉鎖式ベルト２に携帯電話収納ケースを取り付けたものである。図7は、本考案の閉鎖式ベルトをズボンの背面に取り付け、携帯ケースを装着したものである。
【実施例】
【０００８】
携帯電話収納ケース装着ベルト-開閉式ベルト(図1)はズボン等のウエストベルト位置8またはその下部で立ちすわりに邪魔にならない位置に、短い開閉式のベルト1の両端をズボン等に接合する。ベルト1の横位置は、ズボン等の胴回り360度、前面でも後面でも構わない。(図2)の携帯収納ケースのベルト通し穴7に開閉式ベルト1を開いて通し留め具9で固定して携帯ケースを装着するようにしたズボン等。
【０００９】
携帯電話収納ケース装着ベルトの閉鎖式ベルト(図3)はズボン等のウエストベルト位置8またはその下部で立ちすわりに邪魔にならない位置に、短い閉鎖式のベルト2の両端をズボン等に接合する。ベルト2の横位置は、ズボン等の胴回り360度、前面でも後面でも構わない。(図4)の携帯収納ケースの開閉式ベルトベルト装着部材6を開いて、ズボン等の閉鎖式ベルトの穴10に通して携帯ケースを装着するようにしたズボン等。
【符号の説明】
【００１０】
１  開閉式ベルト
２  閉鎖式ベルト
３  携帯電話収納ケースふた
４           〃        本体
５           〃        閉鎖式ベルト通し
６           〃        開閉式ベルト装着部材
７  ベルト通し穴
８  ウエストベルト位置
９  開閉式ベルト留め具
１０  ベルト隙間
１１  開閉式ベルト端
１２  開閉式ベルト端
１３  閉鎖式ベルト端
１４  閉鎖式ベルト端
【図１】
0003161255.tif 000003
【図２】
0003161255.tif 000004
【図３】
0003161255.tif 000005
【図４】
0003161255.tif 000006
【図５】
0003161255.tif 000007
【図６】
0003161255.tif 000008
【図７】
0003161255.tif 000009
【手続補正書】
【提出日】平成22年5月20日(2010.5.20)
【手続補正１】
【補正対象書類名】実用新案登録請求の範囲
【補正対象項目名】請求項２
【補正方法】変更
【補正の内容】
【請求項２】
前記携帯品装着用ベルトは、2本のベルトからなり前記2本のベルトのそれぞれの一端は衣類に接合され、前記2本のベルトの他端は留め具を介して着脱自在に連結されていることを特徴とする請求項1に記載の衣類。
【手続補正２】
【補正対象書類名】実用新案登録請求の範囲
【補正対象項目名】請求項３
【補正方法】変更
【補正の内容】
【請求項３】
前記携帯品装着用ベルトは、1本のベルトからなり、前記ベルトの両端は衣類に接合されていることを特徴とする請求項1に記載の衣類。